(57)【特許請求の範囲】
【請求項１】
眼球に設けられた切開創に挿入する挿入部を先端に有する筒部本体と、
該筒部本体内に前後方向に移動可能に設けられる押出手段であって，前記筒部本体内に置かれる眼内レンズを前記挿入部先端から押し出すための押出棒を有する押出手段と、
を有する眼内レンズ挿入器具において、
前記筒部本体とは別筐体であって、剛性を有する材料によって形成されると共に、内部に所定の液体または粘弾性物質が貯留されるシリンジの筒先を前記筒部本体に対して着脱可能に接続固定する接続部材を備え、
前記接続部材は前記シリンジの筒先と嵌合するための開口を有する中空の筒部材であり、該中空を形成する前記接続部材の内部通路は前記筒部本体内を前後移動する前記押出棒の通路と繋がっており、
前記接続部材は、前記筒部本体内に設けられた前記押出棒の押出方向と、前記シリンジ内に設けられた押出棒の押出方向とを一致させた状態で、前記筒部本体に対して前記シリンジを接続固定すると共に、前記筒部本体に対して着脱可能に設けられていることを特徴とする眼内レンズ挿入器具。
【発明の詳細な説明】
【技術分野】
【０００１】
本発明は、眼内レンズを眼内に挿入するための眼内レンズ挿入器具に関する。
【背景技術】
【０００２】
従来、白内障の手術方法の一つとして水晶体を摘出した後、水晶体の代わりとして折り曲げ可能な軟性の光学部と，眼内にて光学部を固定保持させるための支持部とで構成される眼内レンズを挿入する手法が一般的に用いられている。折り曲げ可能な眼内レンズの挿入には、インジェクターと呼ばれる眼内レンズ挿入器具が用いられる。インジェクターは内部に置かれた眼内レンズをプランジャーと呼ばれる押出棒にて、挿入部の先端に向けて押し出し、先端から送出させる（例えば、特許文献１参照）。このような従来のインジェクターは、押し出される眼内レンズの滑りを良くするために、押し出し前に粘弾性物質が内部に注入され、眼内レンズの押し出しを好適に行うようにしている。また、粘弾性物質は水晶体が取り除かれた嚢を膨らませ、眼内レンズを嚢内に設置し易くするためにも用いられる。
【０００３】
一方で、粘弾性物質の代わりに生理食塩水等の液体（眼灌流液）を用いることにより、安価に手間なく押し出し作業を行うことのできるインジェクターが提案されている。このようなインジェクターは、例えば、押出軸（プランジャー）の基端からインジェクター内部に液体を注入してインジェクター先端から液体を送り出す機構を備えるものや、インジェクター内部に液体を貯留するためのタンク部を備え、プランジャーの押し出しとともに液体を先端から送り出すものが知られている（特許文献２，特許文献３  参照）。このような液体を用いたインジェクターは、水晶体が取り除かれた嚢を生理食塩水等の液体を用いて膨らませたり、インジェクター内における眼内レンズの滑りを良くすることが可能である。
【先行技術文献】
【特許文献】
【０００４】
【特許文献１】特開２００６−３３３９８１号公報
【特許文献２】特開２００８−３０７３９４号公報
【特許文献３】特開２００９−２９１２５０号公報
【発明の概要】
【発明が解決しようとする課題】
【０００５】
しかしながら、特許文献２の挿入器具では、液を供給する装置をインジェクターに接続した状態で眼内レンズを挿入させる必要があり使い勝手が悪い。また、特許文献３の挿入器具においては、眼内レンズの押し出し動作に基づいて眼内への液の供給も行うため、眼内への液体の供給中に眼内レンズも押されてしまう可能性がある。
【０００６】
本発明は、上記従来技術の問題点に鑑み、生理食塩水等の液体を眼内レンズ挿入時の潤滑剤として使用可能な眼内レンズ挿入器具であって、用途に応じた使い分けを簡単に行う事が出来ると共に、使い勝手の良い眼内レンズ挿入器具を提供することを技術課題とする。
【課題を解決するための手段】
【０００７】
上記課題を解決するために、本発明は以下のような構成を備えることを特徴とする。
【０００８】
（１）  眼球に設けられた切開創に挿入する挿入部を先端に有する筒部本体と、該筒部本体内に前後方向に移動可能に設けられる押出手段であって，前記筒部本体内に置かれる眼内レンズを前記挿入部先端から押し出すための押出棒を有する押出手段と、を有する眼内レンズ挿入器具において、前記筒部本体とは別筐体であって、剛性を有する材料によって形成されると共に、内部に所定の液体または粘弾性物質が貯留されるシリンジの筒先を前記筒部本体に対して着脱可能に接続固定する接続部材を備え、前記接続部材は前記シリンジの筒先と嵌合するための開口を有する中空の筒部材であり、該中空を形成する前記接続部材の内部通路は前記筒部本体内を前後移動する前記押出棒の通路と繋がっており、前記接続部材は、前記筒部本体内に設けられた前記押出棒の押出方向と、前記シリンジ内に設けられた押出棒の押出方向とを一致させた状態で、前記筒部本体に対して前記シリンジを接続固定すると共に、前記筒部本体に対して着脱可能に設けられていることを特徴とする。
【発明の効果】
【０００９】
本発明によれば、用途に応じた使い分けを簡単に行う事が出来ると共に、使い勝手の良い眼内レンズ挿入器具を提供できる。
【発明を実施するための形態】
【００１０】
以下に本発明の実施の形態を図面に示しながら説明する。図１は眼内レンズの構成の説明図である。図１（ａ）は眼内レンズ１の正面図、図１（ｂ）は眼内レンズ１の側面図である。眼内レンズ１は所定の屈折力を有する光学部２と、光学部２を眼内で支持するための一対の支持部３とから構成される。光学部２は、ＨＥＭＡ（ヒドロキシエチルメタクリレート）等の単体、アクリル酸エステルとメタクリル酸エステルの複合材料等、従来、折り曲げ可能な軟性の眼内レンズに用いられている材料から形成されている。また、支持部３はＰＭＭＡ（ポリメチルメタクリレート）、ポリプロピレン等の従来眼内レンズの支持部として用いられる材料にて形成される。
【００１１】
なお、図１では、光学部２と，先端が自由端とされ細いループ形状（Ｃ字状、Ｊ字状）からなる支持部３とを別々に作成しておき、その後、一体化させることで得られる３ピース型の眼内レンズが例に示されている。これ以外にも、眼内レンズ１０としては、前述した眼内レンズ材料を使用して、光学部２と支持部３とが、切削加工、モールディング加工等で一体的に形成される１ピース型の眼内レンズを用いることができる。
【００１２】
図２は本実施形態で使用する眼内レンズ挿入器具１０の外観を示した概略外観図である。図２（ａ）は眼内レンズ挿入器具１０を上方から、図２（ｂ）は側方から見た状態を示している。また、図３に眼内レンズ挿入器具１０等の内部構成を示した断面の模式図を示す。
眼内レンズ挿入器具１０は、挿入部２０（カートリッジ）と、挿入部２０を先端に備える筒部本体３０と、筒部本体３０に対して前後方向に移動可能に取り付けられ眼内レンズ１を押し出すための押出部材４０から構成されている。挿入部２０には、先端に向かうに従いその内径が徐々に小さく（細く）なる領域を有したテーパ形状を有する挿入筒２１と、蓋部材２０ａとが設けられている。眼内レンズ１は蓋部材２０ａの内側の開口から眼内レンズ挿入器具１０の内部に載置される。眼内レンズ挿入器具１０内に置かれた眼内レンズ１は、挿入筒２１の内部を通ることにより小さく折り曲げられ、その先端２２から送出される。
【００１３】
なお、挿入部２０の内壁には、親水性の高分子材料からなる潤滑剤がコーティングされている。このような親水性の高分子材料としては、例えば、ポリエチレングリコール、ポリアクリル酸、酸化ポリエチレン、酸化ポリプロピレン等が使用される。これ以外にも、周知の親水性の高分子材料を用いることができる。
【００１４】
筒部本体３０の側面には、外部から供給される生理食塩水等の液体（眼灌流液）を流入させるための開口部３１と、押出手段４０による眼内レンズ１の押出時に、術者の指で保持される鍔部（フランジ）３２とが形成されている。なお、本実施形態では、開口部３１は筒部本体３０の押出方向に対して上側（上面）に形成されているが、これ以外にも開口部３１は後述するシリンジ５０との接続方向を考慮して、筒部本体３０の側面、下面に形成することができる。
【００１５】
また、図３に示すように、筒部本体３の内側には、押出部材４０の軸出しを行う軸出部２３が形成されており、これにより、押出手段４０の前後方向に移動に伴う軸ぶれが防止される。また、軸出部２３よりも挿入部２０側には、開口部３１を介して外部から供給された生理食塩水等の液体（眼灌流液）又は粘弾性物質が流入される空間ｓ１が形成されている。
【００１６】
押出部材４０は、眼内レンズ１の押出時に術者により押圧される押圧部４１と、押圧部４１に接続され，押出部材４０を空間内で移動させるための軸基部４２と、軸基部４２の先端に接続され，軸基部４２よりも細い径で形成された押出棒４３と、押出棒４３の先端に形成され，眼内レンズ１の光学部の側面に当接される先端部４４とから構成される。なお、押出棒４３の長さは押出部材４０を空間内で押し込んだときに、押出棒４３の先端がカートリッジ２０の先端２２から十分に出るような長さとされる。
【００１７】
なお、空間ｓ１と挿入部２０の切換位置は、押出手段４０の押出棒４３と後述するシリンジ５０から供給される液体が同時に通過できるような間隙に形成されている。これにより、押出手段４０による眼内レンズ１の押出のタイミングと、シリンジ５０による液体の供給のタイミングとを好適に切換えることができるようになる。
【００１８】
なお、液体を用いて眼内レンズの注入が行われる場合には、シリンジ（注射器）５０が眼内レンズ挿入器具１０内部に液体を供給するための注入器具として用いられる。ここで、図３にシリンジ５０を押出軸に対して水平な断面で見たときの断面図が示されている。シリンジ５０は、筒部本体５１と、シリンジ５０を術者の指で保持するための鍔部（フランジ）５５と、筒部本体５１内で液体（例えば、生理食塩水や眼灌流液）を貯留するための空間ｓ２と、空間ｓ２内を前後方向に移動可能に設けられた押出部材５３と、空間ｓ２から外部へと液体を流出させるための開口を有する筒先５４とから構成されている。なお、押出部材５３は液体の押出時に術者により押圧される押圧部５３ａと、押圧部５３ａに接続され空間ｓ２の容積を狭くすることで液体を押し出すための押出棒５３ｂとから構成される。
【００１９】
なお、以上のような構成のシリンジ５０は、例えばＪＩＳ規格（ＪＩＳＴ３２１０：減菌済み注射筒、又はＩＳＯ５９４‐１：注射筒、注射針や他の医療用具も６％テーパーとの合致−パート１）にて、その筒先５４の形状（サイズ）が定められているものが使用される。これ以外にも、市販のシリンジ又は眼内レンズ挿入器具１０の仕様に合わせて設計されたシリンジを使用することができる。
【００２０】
また、眼内レンズ１の押出時に外部から液体（又は粘弾性物質）が供給される場合には、以上のような市販のシリンジ５０と眼内レンズ挿入器具１０とを接続するための接続部材６０が用いられる。図３に接続部材６０の断面図が示されている。本実施形態の接続部材６０は、開口部３１と嵌合する外形形状に形成された腕部６２と、内径がシリンジ５０の筒先５４の外径に略一致される形状に形成された腕部６３と、折り曲げ位置ＢとからなるＬ字型に形成されており、その内部は中空の筒型とされ、液体等が通過される貫通孔６１が形成されている。
【００２１】
接続部材６０の腕部６２の先端が開口部３１に接続（嵌合）され、シリンジの筒先５４が腕部６３の先端に取り付けられることで、シリンジ５０の空間ｓ２と眼内レンズ挿入器具１０の空間ｓ１とが接続部材６０の中空（貫通孔６１）を介して繋がり、空間ｓ２内に貯留された液体が、貫通孔６１を介して、眼内レンズ挿入器具１０の空間ｓ１へと流入されるようになる。
【００２２】
なお、本実施形態のようなＬ字型の接続部材６０において、シリンジ５０に接続される腕部６３の長さｄ１は、筒先５４の長さｄ３よりも長く形成されることが好ましい。このようにすると、筒先５４全体が腕部６３に取り付けられることで接続状態を安定させることができるようになる。
【００２３】
また、折り曲げ位置Ｂは、腕部６２の一部が開口部３１に接続された状態で、腕部６３が押出部材４０の押出軸に対して略平行となるようにその折り曲げ角度が決定されることが好ましい。このようにすると、眼内レンズ挿入器具１０とシリンジ４０の押出方向とが一致されるので取扱いがし易くなる。
【００２４】
更に、開口部３１に接続される腕部６２の長さｄ２は、眼内レンズ挿入器具１０とシリンジ５０とを押出軸が平行となるように並べたときに、眼内レンズ挿入器具１０とシリンジ５０が干渉しない長さであると共に、接続部材６０で接続された眼内レンズ挿入器具１０とシリンジ５０とを術者が片手で保持できるような長さに設定されていることが好ましい。このようにすると、術者は指先の移動のみで押出部材４０による眼内レンズ１の押出動作と、押出部材５３による液体の供給動作と簡単に切換える事が出来るようになる。
【００２５】
なお、上記ではＬ字形状の接続部材６０を例に挙げているが、これに限られるものではない。例えば、接続部材６０は直線形状であっても良い。これ以外にも、接続部材は内部に液体を通過させるための貫通孔が形成されており、眼内レンズ挿入器具１０の開口部３１とシリンジ５０の筒先５４とが貫通孔を介して接続されるような構成になっていれば良い。
【００２６】
なお、眼内レンズ挿入器具１０の開口部３１は、眼内レンズ挿入器具１０とシリンジ５０とを接続部材６０を介して接続した状態で、基端部側に引き出されたシリンジ５０の押圧部５３ａと、基端部側に引き出された押圧部４１の位置とが略等しくなる位置に形成されることが好ましい。これにより、術者はより押出部５３ａと押出部４１による押出動作の切換えを簡単に行うことができるようになる。
【００２７】
以上のような、接続部材６０はプラスチック、ポリカーボネイト、ＡＢＳ樹脂、ＰＶＣ（ポリ塩化ビニル）、アクリル、ＰＥＥＫ、シリコン等の樹脂又は合成樹脂によるモールド成形にて複数個が一度に作成される。また、これ以外にも接続部材６０は耐水性の材料にて形成することができる。また、接続部材６０がシリコン樹脂などの折り曲げ可能な材料で形成される場合には、接続部材６０を直線形状に形成して、術者は柔軟な接続部材６０を折り曲げることによって、眼内レンズ挿入器具１０に対してシリンジ５０を持ちやすい方向に位置させることができるようになる。
【００２８】
なお、上記では液体を使用して眼内レンズ１を眼内へ注入させる場合の構成を説明したが、粘弾性物質を用いる場合には、接続部材６０を用いずに、眼内レンズ挿入器具１０のみで眼内レンズ１の注入を行うことができる（なお、粘弾性物質の場合にも眼内レンズ挿入器具１０とシリンジ５０とを接続部材６０にて接続させた状態で、シリンジ５０から粘弾性物質を提供することもできる）。
以上のように、接続部材６０を用いることで、眼内レンズ挿入器具１０に対するシリンジ５０の接続の有無を切換えることができ、眼内レンズ挿入器具１０の術者の使い勝手を向上させることができるようになる。
【００２９】
次に、以上のような構成を備える眼内レンズ挿入器具１０を用いた眼内レンズ１の押出時に、液体を用いる場合の動作を中心に説明する。図４に眼内レンズ挿入器具１０とシリンジ５０とを接続部材６０を介して一体で用いる場合の動作の説明図を示す。
【００３０】
はじめに、術者（使用者）は、鑷子等を用いて眼内レンズ１を蓋部材２０ａの位置の開口から挿入部２０内の所定位置に置き、押出部材４０を筒部本体２０の基端側へと引き出しておく。次に、術者はシリンジ５０の空間ｓ２を生理食塩水等の液体で満たすため、予め押出部材５３を筒先５４側へと十分に押し込んだ状態で、シリンジ５０の筒先５４を液体に浸し、押出部材５３を基端側へと引き出す。これによって、空間ｓ２内に液体ｐｆを十分に貯留させる。
【００３１】
次に、術者は図４（ａ）に示すように、接続部材６０の腕部６２を眼内レンズ挿入器具１０の開口部３１へ取り付け、腕部６３をシリンジ５０の筒先５４に取り付ける。これにより眼内レンズ挿入器具１０とシリンジ５０とを一体化させて、眼内レンズ挿入器具１０とシリンジ５０の両方を（フランジ３２、５５の位置で）片手で保持する。
【００３２】
以上のように眼内レンズ挿入器具１０の用意ができたら、術者は患者眼の眼内圧を所定の圧力に維持して球形状を確保し、水晶体が取り除かれた嚢を膨らませる（前房確保する）ようにする。患者眼に形成された切開創に挿入筒２１の先端２２を差し入れ、図４（ｂ）に示すように、シリンジ５０の押圧部５３ａを押すと、押出棒５３ｂによって空間ｓ２の容積が狭められて空間ｓ２内の液体ｐｆが筒先５４の開口から接続部材６０の貫通孔６１へと流出される。そして、貫通孔６１を通過した液体ｐｈは、眼内レンズ挿入器具１０の空間ｓ１内に流れ込んだ後、挿入部２０内へと流れ込むようになる。この時、液体ｐｈが挿入部２０内を通ることにより、挿入部２０内の内壁にコーティングされている潤滑剤が溶けて、眼内レンズ１が通過する通路の滑りが良くなる。そして、挿入部２０内を流れた液体ｐｈが眼内へと流入されるようになる。
【００３３】
患者眼に液体ｐｆが充填されて眼球（嚢）が十分に膨らんだ状態で、眼内レンズ１を眼内へと挿入させる。図４（ｃ）に示すように、空間ｓ１内で押出部材４０が押されることで、先端部４４が光学部２の側面に当接される。この状態から、更に押出部材４０が押し込まれていくと、眼内レンズ１が挿入筒２１の内壁に沿って、折り曲げられていく（丸め込まれていく）。
【００３４】
ところで、術者は眼内レンズ１を押し出しながら、眼内レンズ１の取り付け位置をより正確に決定させるために、切開創から入れられた挿入筒２１の位置を調節することがあり、これにより、眼内の液体の一部が外部に出てしまうことがある。この場合、本実施形態では、術者が再び押出部材５３を押すことによって、液体ｐｈをシリンジ５０から眼内レンズ挿入器具０１の空間ｓ１を介して、眼内に注入させることで、再び眼内の形状（内圧）を適切に保つことができるようになる。この時、押出部材４０の先端４４が押し出し途中の眼内レンズ１に当接されているが、押出部材４０と液体を押し出すための押出部材５３とは各々独立しているため、術者は眼内レンズ１の押し出しの状態を変えることなく、液体ｐｆのみを押し出すことができる。
【００３５】
前房確保された状態で、眼内での眼内レンズ１の取り付け位置が定まったら、術者は押出部材４０によって眼内レンズ１を眼内へと押し出す。これにより、先端２２から眼内レンズ１が眼内へと押し出され、光学部２が眼内で開放されると共に、支持部３が眼内から加えられる応力によって嚢に沿って配置され、眼内レンズ１が眼内で好適に保持されるようになる。
以上のように液体を用いる場合に、接続部材６０を介して市販のシリンジ５０と眼内レンズ挿入器具１０とを接続させるだけで、簡単に眼内レンズの押出と液体の押出とを独立して使い分けることができるようになる。
【００３６】
なお、以上の説明では手術に液体を用いる場合を例に挙げて説明したが、術者によっては液体よりも粘弾性物質の使用を好む場合がある。また、被検者眼の状態によっても液体よりも粘弾性物質を用いる方が好ましい場合があると考えられる。
【００３７】
粘弾性物質を用いて眼内レンズの注入を行う場合には、術者は接続部材６０及びシリンジ５０を用いずに、眼内レンズ挿入器具１０のみを使用する。なお、この場合には、図示を略す注射器にて眼内に粘弾性物質を供給して前房確保がされた状態で、挿入部２０及び挿入筒２１の内側に予め粘弾性物質が塗布された眼内レンズ挿入器具１０の先端２２が眼内に差し入れられる。そして、押出手段４０の操作で眼内レンズ１の押出動作が行われる。
つまり、粘弾性物質が使用される場合には、眼内レンズ１の押出に不要な接続部材６０（シリンジ５０）が取り除かれて、より簡単な構成で眼内レンズ１の注入動作を行うことができるようになる。
【００３８】
これ以外にも、上述したように接続部材６０を介して、眼内レンズ挿入器具１０とシリンジ５０とが接続された状態で、シリンジ５０内の空間ｓ２に粘弾性物質を貯留させることにより、押出手段４０と押出手段５３とによって、粘弾性物質と眼内レンズ１の押出動作とが独立して行われる用にしても良い。このようにすると、被検者眼への器具の取り付け回数が少なくなることで、より患者の負担を減らすことができるようになる。
以上のように、接続部材６０の着脱のみで、同一種類の眼内レンズ挿入器具１０を用いた眼内レンズの注入動作を用途に応じてより簡単な構成で行うことができるようになる。
【００３９】
なお、上記では眼内レンズ挿入器具１０と接続部材６０とが別部材にて形成されている場合が示されているが、これに限られるものでは無い。例えば、眼内レンズ挿入器具１０の開口部３１の位置に、上述したような接続部材６０が一体で形成されていても良い。この場合、眼内レンズ挿入器具１０と接続部材６０とはモールド型によるモールド成形にて一体成形される。この場合にも、接続部材６０へのシリンジ５０の取り付けの有無を切換えるだけで、より簡単な構成での液体又は粘弾性物質による眼内レンズ１の押出を行うことができるようになる。
【図面の簡単な説明】
【００４０】
【図１】眼内レンズの構成の説明図である。
【図２】眼内レンズ挿入器具の概略外観図である。
【図３】眼内レンズ挿入器具等の内部構成を示した断面模式図である。
【図４】眼内レンズ挿入器具とシリンジとを用いた動作の説明図を示す。
【符号の説明】
【００４１】
１０  眼内レンズ挿入器具
３０  筒部本体
３１  開口部
４０  押出部材
４３  押出棒
５０  シリンジ
５４  筒先
６０  接続部材
【図１】
0005752901.tif 000002
【図２】
0005752901.tif 000003
【図３】
0005752901.tif 000004
【図４】
0005752901.tif 000005